【事件の表示】
特許第２８０４７５１号「ラベルプリンタ」の特許に対する特許異議の申立てについて、次のとおり決定する。
【結論】
　特許第２８０４７５１号の特許を維持する。
【理由】
（１）本件発明
　本件特許２８０４７５１号に係る発明（昭和６０年１２月２０日出願、平成１０年７月１７日設定登録）は、特許明細書及び図面の記載からみて、その特許請求の範囲に記載された次のとおりのものである。
「【請求項１】多数のラベルが等ピッチで貼付された長尺状の台紙の経路中に印字部と前記台紙を送る台紙送り部とを設け、前記台紙に多数の前記ラベルのピッチと等しく形成された多数の被検出部を検出する検出器を設け、電源が投入されると若しくは前記印字部のアップダウンがなされると前記台紙送り部により前記台紙を搬送させる搬送制御手段と、この搬送制御手段によって送られる前記台紙の前記被検出部を二回検出することによって前記ラベルの長さｌを測定するラベル検出手段と、このラベル検出手段によるラベルの長さによって前記台紙の送り量を
　送り量（Ｌ−ｋｌ）
　但し、Ｌは印字部と検出器との距離
　ｋはｋｌがＬを越えない最大の自然数
として演算する演算手段と、この演算手段による演算結果に基づいて前記ラベルを印字位置に停止させるように前記台紙送り部の停止のタイミングを定めるようにした制御手段を設けたことを特徴とするラベルプリンタ。」
（２）特許異議申立の理由の概要
　　特許異議申立人、土屋博志は、甲第１号証（特開昭５７−１７４２９４号公報）、甲第２号証（特開昭５９−８４７２９号公報）、甲第３号証（特開昭５６−１０６８８７号公報）及び甲第４号証（特開昭６０−１８５１０４号公報）を提示して、本件発明は、甲第１〜４号証に記載された発明に基づいて、当業者が容易に発明をすることができたものであるから、特許法第２９条第２項の規定により特許を受けることができないものであり、よって、本件特許は平成６年法律第１１６号附則第１４条の規定に基づく、平成７年政令第２０５号第４条第１項及び第２項の規定により、取り消されるべきものであると主張している。
（３）甲第１〜４号証に記載される発明
　甲第１号証（以下「引用例１」という。）には、「ところでステッピングモータ８は１パルス供給される毎にある一定角度回転するものであるから、検出部３と印刷部４との間の距離をＬ（第４図参照）とすると、台紙２を距離Ｌだけ移動するために必要なステッピングモータ８のステップ数すなわち、モータ駆動回路７に供給されるパルス数は一義的に求められる。この求められたパルス数はデータＤ１として予めＲＯＭ１０に記憶される。
　次に上記構成になるラベルプリンタの具体的動作について説明する。
　まず、操作者はラベルを装填する際第４図に示すように、台紙２上の最左端のラベル１の先端を検出部３の位置に設定し、そして、スタートボタン（図示略）を押す。スタートボタンが押されると、ＣＰＵ６はＲＯＭ１０からデータＤ１を呼び出し、このデータＤ１の値と等しい数だけ駆動パルスをモータ駆動回路７とカウンタ部９に供給する。これによりステッピングモータ８が駆動され、ラベル１は矢印Ａ方向に移動を始め、またこの時、検出部３は検出信号をカウンタ部９とＣＰＵ６へ出力する。そして、カウンタ部９がＣＰＵ６から供給される駆動パルスの計数を開始する。そして、１枚目のラベル１が検出部３の直下を通過し終えた瞬間、検出部３の検出信号が出力されなくなるため、カウンタ部９は計数を停止し、この時、ＣＰＵ６はカウンタ部９の値を読込み、この値をデータＤ２としてＲＡＭ１１へ格納する。なおこのＤ２の値がラベル１の進行方向の長さ１に対応している。」（第２頁右下欄第１８行〜第３頁右上欄第５行、第１〜４図）、「また、ＣＰＵ６はデータＤ１をデータＤ２で割り、整数値で割り切れた場合はその値を、整数値で割り切れない場合は商の整数値に１を加えた値をデータＮとしてＲＡＭ１１に格納する。このＮの値は印刷機構４と検出部３との間に何枚のラベルが並ぶかを示すものである。また、ＣＰＵ６はラベル１の長さ、すなわちＤ１の値に基づいて、ラベル１の種類を検知し、この検知したラベル１の種類に対応する印刷データを自動的に印刷機構４へ出力し、印刷させる。なお、ラベル１は種類が青果用、精肉用等のように印刷内容が異なるとその長さも変わってくる。が、上述した機能により切換スイッチの操作等によってそれぞれに対応した印字フォーマットを変更する必要がない。」（第３頁右上欄第１０行〜同頁左下欄第３行、第１〜４図）と記載されている。
　甲第２号証（以下「引用例２」という。）には、「（Ａ）、（Ｈ）及び（Ｌ）は、入力部に数値的に入力される設定値である。
　（Ａ）は、第３図及び第６図で示す如く、被貼付物（１８）の搬送方向の先端から貼着ラベル（１）を貼付する搬送方向の先端の位置までの距離（Ｂ）と、貼着ラベル（１）の先端が被貼付物（１８）に触れる部分（ａ）から検知手段（１６）までの距離（Ｃ）の和に等しい。
　（Ｈ）は、設置距離であり、貼着ラベル（１）の先端が被貼付物（１８）に触れる部分（ａ）から検知器（４）までのラベル連続体（３）と平行する距離である。
　（Ｌ）は、ラベルピッチであり、貼着ラベル（１）の長さ及び隣接する貼着ラベル（１）と貼着ラベル（１）間の長さの合計たる１ピッチ距離である。
　（Ｄ）は、位相距離であり、貼着ラベル（１）の先端と検出器（４）間の距離を表し、次式　
　　Ｄ＝Ｈ−ａＬ、Ｄ≦Ｌ、ただしａは整数で計算される距離である。
　本実施例の装置は、入力部（６）のテンキー（７）、正負キー（８）、選択キー（９）により距離（Ａ）、（Ｈ）、（Ｌ）等の設定値を数値的に入力して作動させると、制御部（１１）が、入力部（６）に入力された設定値の距離（Ｈ）（Ｌ）を前述した式（Ｄ＝Ｈ−ａＬ、Ｄ≦Ｌ、ただしａは整数）で計算して、距離（Ｄ）の値を求めて、距離（Ａ）（Ｈ）（Ｌ）（Ｄ）の値を記憶している。（第２頁右上欄第２０行〜同頁右下欄第３行、第１〜６図）、「また、制御部（１１）において、ラベル送り速度と比例してエンコーダーにより発生しているパルスを、ラベル“有”の検知信号を得たときにカウントし始めて、そのカウントしたパルスの数が、設定値から式（Ｄ＝Ｈ−ａＬ、Ｄ≦Ｌ、ただしａは整数）で計算して得た（Ｄ）の値と対応したパルス数に達した位置でラベル送りを止めるものであってもよい。」（第３頁右上欄第２〜９行、第１〜６図）と記載されている。
　甲第３号証（以下「引用例３」という。）には、「たとえば印刷用紙への印字書式を指定するフォーマット情報をプログラムによりメモリに書き込み記憶させ、印刷用紙を送るトラクタ軸に同期し実際の紙送り長さの１単位ごとに発生するインデックスパルスと前記メモリの内容とを比較参照しながら紙送り制御を行っている印刷装置において、電源投入後最初の印字を行う場合、あるいは印字用紙の装着時において、印刷用紙の印字開始ページの第１行印字位置と印刷装置側の印字動作位置とを一致させるためには、印刷用紙のある決められた位置（例えばミシン目から定められた距離だけ離れた経線）を印刷装置側の印字動作位置とある定まった位置関係を持った目印（例えばプリントインデックスライン）に一致させるという印刷用紙の縦方向の位置決めのための調整作業を必要とし、その作業はオペレータが目視により行っていた。このため次のような欠点があった。
（１）オペレータが目視により調整を行うため印字作業に至るまでに上記作業のための時間を必要とする。
（２）調整作業における印刷用紙の位置ずれは、その後の印字位置全てに影響をおよぼす。
本発明の目的は、上記調整作業を不必要とする紙送り制御方式を提供することにある。
　本発明によれば、印刷用紙を移動させる改行機構と、前記印刷用紙に印字する印字機構とを有する印刷装置において、印刷用紙の各頁毎の第１行印字位置を基準としたマークを検出する光学的検出器と、この光学的検出器の信号を受けて前記第１行印字位置が前記印字機構の印字動作位置にきたときを判別する判別手段とを含むことを特徴とする印刷装置における紙送り制御方式が得られる。」（第１頁左下欄第１９行〜第２頁左上欄第１１行）と記載されている。
　甲第４号証（以下「引用例４」という。）には、「このラベル４に印字する場合、各ラベル４の位置を確認する必要がある。これは、一般には、ラベル４の部分が台紙３と重なって二重になっているのに対し、スリット５の部分は台紙３のみであることから、用紙の厚さを検出して行っている。」（第１頁右下欄第４〜８行、第１図）、「センサＳ３の検出点には、ラベル４または台紙３が来ているから、上の処理によって第１３図のＳＤ＝８（ラベル４の時）、またはＳＤ＝３（台紙３の時）がＳＤａとして記憶される。
▲２▼次にラベル用紙１を所定長（スリット５の幅以上）フィードして、始めにスリット５が検出点にあったときにはラベル４が検出点に来るようにし、・・・
▲４▼次にＣＰＵ４６はプラテンローラ２７を１ステップずつ回転駆動しながらラベル用紙１をフィードし、スリット５をみつける。すなわち、ラベル４の１枚分のフィードステップ数をＣＰＵ４６内のカウンタに初期セットし（ステップＳＰ９）、このカウンタの値をデイクリメントしながら１ステップずつラベル用紙１をフィードし（ステップＳＰ１０〜ＳＰ１１）、信号ＫＳ３が“１”から“０”信号に変わる点をさがし、スリット５の検出を行う（スリットＳＰ１３）。」（第４頁左下欄第１２行〜第５頁左上欄第３行、第１〜１５図）と記載されている。
（４）対比・判断
　本件発明と引用例１に記載される発明（以下「引用発明」という。）とを比較すると、引用発明における「印刷機構４」、「ステッピングモータ８」、「検出部３」、「ＣＰＵ６」、「ラベル１の進行方向の長さｌ」が、本件発明における「印字部」、「台紙送り部」、「検出器」、「搬送制御手段」、「ラベルの長さｌ」に相当することは明白である。また、引用発明においても、多数のラベルが長尺状の台紙に等ピッチで貼付されていることも明白である。さらに、引用発明における「１枚目のラベル１が検出部３の直下を通過し終えた瞬間、検出部３の検出信号が出力されなくなるため、カウンタ部９は計数を停止し、この時、ＣＰＵ６はカウンタ部９の値を読込み、この値をデータＤ２としてＲＡＭ１１へ格納する。」ことが、本件発明における「ラベルの長さｌを測定する」ことに相当することも明白である。したがって、両者は、多数のラベルが等ピッチで貼付された長尺状の台紙の経路中に印字部と前記台紙を送る台紙送り部及び検出器とを設け、電源が投入されると若しくは前記印字部のアップダウンがなされると前記台紙送り部により前記台紙を搬送させる搬送制御手段と、前記ラベルの長さｌを測定するラベル検出手段と、前記ラベルを印字位置に停止させるように前記台紙送り部の停止のタイミングを定めるようにした制御手段を設けたラベルプリンタである点で一致し、（１）検出器に関し、本件発明は、該検出器が、台紙に多数のラベルのピッチと等しく形成された多数の被検出部を検出するのに対して、引用発明は、この構成が明確でない点、（２）ラベル検出手段に関し、本件発明は、搬送制御手段によって送られる台紙の被検出部を二回検出することによりラベルの長さｌを測定するのに対して、引用発明は、この構成が明確でない点、（３）台紙送り部の停止のタイミングを定めるようにした制御手段に関し、本件発明は、ラベル検出手段により測定されたラベルの長さｌにより送り量（Ｌ−ｋｌ）を演算しこの演算結果に基づいてラベルを印字位置に停止させているのに対して、引用発明は、操作者が、台紙２上の最左端のラベル１の先端を検出部３の位置に設定し、所定送り量Ｌだけ送り停止させるようにしている点で相違する。
　上記相違点について検討する。相違点（１）、（２）については、引用例３に、長尺状の印刷用紙（本件発明における「台紙」に相当する。以下同様）の経路中に印字機構（「印字部」）と前記印刷用紙を送るトラクタ軸（「台紙送り部」）及び前記印字用紙の各頁毎の第１行印字位置を基準としたマーク（「ラベルのピッチと等しく形成された多数の被検出部」）を検出する検出器とを設けた印刷装置（「ラベルプリンタ」）における紙送り制御方式が開示されている。また、引用例４に、スリット５（「被検出部」）を少なくとも２回検出することによりラベル４の１枚分のフィードステップ数をＣＰＵ４６のカウンタにセットし（「ラベルの長さｌを測定するラベル検出手段」）、このステップ数だけラベルを搬送する構成が開示されている。上記引用例４に開示されるスリット５に代えて、引用例３に開示されるマークを採用してラベルの長さを測定することは当業者であれば、普通に予測し得る程度の設計変更と認められるから引用発明におけるラベルの長さｌを測定する手段として、引用例３、４に開示される技術を採用して、本件発明のように構成することは、当業者にとって格別困難性あるものとは認められない。次に、相違点（３）については、確かに引用例２には、多数のラベルが等ピッチで貼付された長尺状の台紙の経路中に台紙送り部、ラベル検出器、台紙搬送制御手段、台紙の送り量（Ｄ＝Ｈ−ａＬ）を演算する演算手段庫の演算手段による演算手段に基づいてラベルを所定位置に停止させるように台紙送り部の停止のタイミングを定めるようにした制御手段を有するラベル貼付装置における台紙送り機構が開示されている［ただし、引用例２に開示される発明においては、ラベルピッチＬ（「ｌ」）は、既知の値であって、予め制御部（１１）（「制御手段」）に入力されているものである。］。しかしながら、引用発明においては、上述の通り操作者が、台紙２上の最左端のラベル１の先端を検出部３の位置に設定し、所定送り量Ｌだけ送り停止させるようにしているのであるから、本件発明における送り量（Ｌ−ｋｌ）を算出する必要性がなく、引用例２に開示される発明を採用しようとする動機付けが全く認められない。してみれば、本件発明は、引用発明及び引用例２〜４に開示される発明に基づいて、当業者が容易に想到し得るものとは認められない。そして、本件発明は、上記構成を有することにより、明細書記載のとおりの格別の作用効果を奏するものと認められる。
（５）むすび
　以上のとおりであるから、特許異議申立ての理由及び証拠によっては本件特許を取り消すことはできない。
　また、他に本件特許を取り消すべき理由を発見しない。
　よって、結論のとおり決定する。
【異議決定日】
平成１１年９月３日（１９９９．９．３）